(57)【要約】【課題】一対の配管流路が芯ズレした状態にあっても継ぎ手シールを円滑に装着することができ、しかも簡易な構造の継ぎ手シールを提供する。【解決手段】継ぎ手シールは、筒状金具とその外径面に被着されるゴム状弾性体を有する。筒状金具は一定の外径寸法を備える外径面を有する形状とされ、ゴム状弾性体は軸方向一対のシールリップを有する形状とされる。一対の配管流路が芯ズレした状態にあるとき当該継ぎ手シールは配管流路に対し斜めに傾いた姿勢で装着され、このときシールリップ以外の部分は配管流路の内径面と干渉せずシールリップのみが配管流路の内径面に対し全周に亙って密接する。【選択図】図２
2012255470.tif 000002
【特許請求の範囲】
【請求項１】
互いに離間して同一中心軸線上に配置される一対の配管流路を接続するために用いられる筒状の継ぎ手シールであって、
一方の前記配管流路の開口部に一方の端部を差し込まれるとともに他方の前記配管流路に他方の端部を差し込まれる筒状金具と、前記筒状金具の外径面に被着されてシール作用をなすゴム状弾性体とを有し、
前記筒状金具は、フランジや溝を有さず全長に亙って一定の外径寸法を備える外径面を有する形状とされ、
前記ゴム状弾性体は、前記筒状金具の一方の端部の外径面に被着されるとともに一方の前記配管流路の内径面に密接する一方のシールリップ、および前記筒状金具の他方の端部の外径面に被着されるとともに他方の前記配管流路の内径面に密接する他方のシールリップを有する形状とされ、
前記一対の配管流路が芯ズレした状態にあるときに当該継ぎ手シールは前記配管流路に対し斜めに傾いた姿勢で装着され、このとき前記シールリップ以外の部分は前記配管流路の内径面と干渉せず前記シールリップのみが前記配管流路の内径面に対し全周に亙って密接することを特徴とする継ぎ手シール。
【請求項２】
請求項１記載の継ぎ手シールにおいて、
前記シールリップの先端部は、前記芯ズレに伴う接触の角度変化に追随しやすい断面アール形状とされていることを特徴とする継ぎ手シール。
【請求項３】
請求項１または２記載の継ぎ手シールにおいて、
前記一対のシールリップは、これらよりも外径寸法が小さな被膜部を介して互いに一体成形されていることを特徴とする継ぎ手シール。
【発明の詳細な説明】
【技術分野】
【０００１】
本発明は、互いに離間して同一中心軸線上に配置される一対の配管流路を接続するために用いられる継ぎ手シールに関する。本発明の継ぎ手シールは例えば、自動車関係（補機類を含む）、一般産機関係または建機関係の分野などに幅広く用いられる。
【背景技術】
【０００２】
従来から図５に示すように、互いに離間して同一中心軸線０上に配置される一対の配管流路５１，５２を接続するために用いられる筒状の継ぎ手シール６１であって、各配管流路５１，５２の開口部に差し込まれる筒状金具６２を有し、この筒状金具６２の両端部外径面にそれぞれＯリング等のパッキン６３を嵌着した構造の継ぎ手シール６１が知られている。
【０００３】
しかしながらこの従来技術によると、筒状金具６２の両端部外径面にそれぞれフランジ６４が設けられるとともにフランジ６４の外径面に装着溝６５が設けられ、この装着溝６５にパッキン６３が嵌着されているために、筒状金具６２の外径寸法φｄと配管流路５１，５２の内径寸法φＤとの間には極く僅かな寸法差が設定されているに過ぎない。
【０００４】
したがって、一対の配管流路５１，５２が互いに芯ズレ（偏心）した状態にあるときに当該継ぎ手シール６１を組み付けようとすると、筒状金具６２がフランジ６４の外径面で配管流路５１，５２の内径面と干渉してしまい、よって当該シール６１を組み付けることができない不都合がある。
【０００５】
また、他の従来技術として図６に示すように、互いに離間して同一中心軸線０上に配置される一対の配管流路５１，５２を接続するために用いられる筒状の継ぎ手シール６１であって、各配管流路５１，５２の開口部に差し込まれる筒状金具６２を有し、この筒状金具６２の外径面に全面に亙ってゴム状弾性体６６を被着した構造の継ぎ手シール６１が知られている。
【０００６】
しかしながらこの従来技術によると、筒状金具６２の外径面に被着されたゴム状弾性体６６が全長に亙って均一な厚みに成形されているために、継ぎ手シール６１全体として径方向ボリュームが大きなものとなっている。
【０００７】
したがって図示するように、一対の配管流路５１，５２が互いに芯ズレ（偏心）した状態にあるときに当該継ぎ手シール６１を組み付けようとすると、ゴム状弾性体６６がその一部（矢印Ａにて示す部位）で極端に大きく圧縮され、挿入がきつくなり、よって当該シール６１を組み付けることができない不都合がある。
【０００８】
したがって従来は、やむなく高価な耐圧ホースやクランプを使って配管流路５１，５２を接続しており（特許文献１参照）、これに対し、一対の配管流路５１，５２が芯ズレした状態にあっても円滑に装着することができる簡易な構造の継ぎ手シールが求められている。
【先行技術文献】
【特許文献】
【０００９】
【特許文献１】特開２００７−２１１８７６号公報
【発明の概要】
【発明が解決しようとする課題】
【００１０】
本発明は以上の点に鑑みて、一対の配管流路が芯ズレした状態にあっても継ぎ手シールを円滑に装着することができ、しかも簡易な構造の継ぎ手シールを提供することを目的とする。
【課題を解決するための手段】
【００１１】
上記目的を達成するため、本発明の請求項１による継ぎ手シールは、互いに離間して同一中心軸線上に配置される一対の配管流路を接続するために用いられる筒状の継ぎ手シールであって、一方の前記配管流路の開口部に一方の端部を差し込まれるとともに他方の前記配管流路に他方の端部を差し込まれる筒状金具と、前記筒状金具の外径面に被着されてシール作用をなすゴム状弾性体とを有し、前記筒状金具は、フランジや溝を有さず全長に亙って一定の外径寸法を備える外径面を有する形状とされ、前記ゴム状弾性体は、前記筒状金具の一方の端部の外径面に被着されるとともに一方の前記配管流路の内径面に密接する一方のシールリップ、および前記筒状金具の他方の端部の外径面に被着されるとともに他方の前記配管流路の内径面に密接する他方のシールリップを有する形状とされ、前記一対の配管流路が芯ズレした状態にあるときに当該継ぎ手シールは前記配管流路に対し斜めに傾いた姿勢で装着され、このとき前記シールリップ以外の部分は前記配管流路の内径面と干渉せず前記シールリップのみが前記配管流路の内径面に対し全周に亙って密接することを特徴とする。
【００１２】
また、本発明の請求項２による継ぎ手シールは、上記した請求項１記載の継ぎ手シールにおいて、前記シールリップの先端部は、前記芯ズレに伴う接触の角度変化に追随しやすい断面アール形状とされていることを特徴とする。
【００１３】
また、本発明の請求項３による継ぎ手シールは、上記した請求項１または２記載の継ぎ手シールにおいて、前記一対のシールリップは、これらよりも外径寸法が小さな被膜部を介して互いに一体成形されていることを特徴とする。
【００１４】
上記構成を備える本発明において、継ぎ手シールは、筒状金具とその外径面に被着されたゴム状弾性体によって構成され、筒状金具は、フランジや溝を有さず全長に亙って一定の外径寸法を備える外径面を有する形状とされ、ゴム状弾性体は、筒状金具の両端部外径面にそれぞれシールリップを有する形状とされているために、継ぎ手シールの外径寸法は、シールリップを設けた部位で大、その他の部位で小となっており、よってシールリップが配管流路の内径面に密接した状態においてその他の部位の外径面と配管流路の内径面との間には比較的大きな寸法差が設定されることになる。したがって当該継ぎ手シールを芯ズレした状態の配管流路に装着すると、シールリップ以外の部分は配管流路の内径面と干渉せずシールリップのみが配管流路の内径面に対し全周に亙って密接する状態が実現されるために、上記従来技術のようにシール装着不可となることなく、シールを装着することが可能となる。
【００１５】
シールリップは、リップ形状であるので、配管流路の内径面に密接する環状の先端部（リップ端）を有する。この先端部の形状は、断面直線形状（円筒面形状）であっても良いが、丸みを帯びた断面アール形状であっても良く、このように断面アール形状にすると、配管流路の芯ズレに伴ってシールリップの配管流路内径面に対する接触の角度が変わっても接触の状態（姿勢）が変わりにくくシール面圧が維持されるので、シール性が安定する。
【００１６】
軸方向一対のシールリップは、互いに別体として個別に成形しても良いが、互いに一体成形しても良く、このように一体成形すると、筒状金具への被着面積が増大するためにシールリップが筒状金具から剥がれにくくなったり、型内に設定するキャビティ空間が１つに集約されるためにゴム成形型の構造が簡素化されたりする等の効果を期待することができる。この場合には、一対のシールリップ同士は互いに軸方向に離間しているので、両シールリップをこれらよりも外径寸法の小さな被膜部を介して互いに一体成形することになる。
【００１７】
尚、本発明の継手シールは例えば、以下の装置・機械類に用いられる。
（１）ディストリビューター（分配器）
（２）オイルパンとオイルフィルター間のシール
（３）冷却器のつなぎ部
【発明の効果】
【００１８】
本発明は、以下の効果を奏する。
【００１９】
すなわち、以上説明したように本発明によれば、継ぎ手シールを芯ズレした状態の配管流路に装着したときにシールリップ以外の部分は配管流路の内径面と干渉せずシールリップのみが配管流路の内径面に対し全周に亙って密接する状態が実現されるために、従来のようにシール装着不可となることなく、シールを円滑に装着することができる。またその構造は、筒状金具の両端部外径面にシールリップを設けると云う至って簡易なものである。したがって本発明所期の目的どおり、一対の配管流路が芯ズレした状態にあっても継ぎ手シールを円滑に装着することができ、しかも簡易な構造の継ぎ手シールを提供することができる。
【００２０】
また、シールリップの先端部を断面アール形状とする場合には、シール性を安定させることができ、一対のシールリップを一体成形する場合には、シールリップが筒状金具から剥がれにくくなる、ゴム成形型の構造が簡素化される等の効果を発揮することができる。
【図面の簡単な説明】
【００２１】
【図１】本発明の実施例に係る継ぎ手シールの断面図
【図２】同実施例における配管流路が芯ズレした状態の断面図
【図３】本発明の他の実施例に係る継ぎ手シールの断面図
【図４】同実施例における配管流路が芯ズレした状態の断面図
【図５】従来例に係る継ぎ手シールの半裁断面図
【図６】他の従来例に係る継ぎ手シールの断面図であって配管流路が芯ズレした状態の断面図
【発明を実施するための形態】
【００２２】
つぎに本発明の実施例を図面にしたがって説明する。
【００２３】
図１は、本発明の実施例に係る継ぎ手シール１を示している。当該実施例に係る継ぎ手シール１は、互いに軸方向に離間して同一中心軸線０上に配置される一対の配管流路（流路）５１，５２を接続するために用いられる筒状の継ぎ手シール１であって、以下のように構成されている。
【００２４】
すなわち先ず、一方の配管流路５１の開口部に一方の端部２ａを差し込まれるとともに他方の配管流路５２に他方の端部２ｂを差し込まれる筒状金具（パイプ）２が設けられており、この筒状金具２の外径面２ｃにシール作用をなすためのゴム状弾性体３が被着（加硫接着）されている。配管流路５１，５２はそれぞれ各種ハウジングに穴状のものとして設けられ、またはパイプの内径部に設けられている。
【００２５】
筒状金具２は、フランジや溝などの凹凸形状を有さず軸方向全長に亙って一定の外径寸法φｄ１を備える円筒面状の外径面２ｃを有する形状とされ、その外径寸法φｄ１は配管流路５１，５２の内径寸法φＤよりも随分と小さく設定されている。またこの筒状金具２は外径面および内径面ともに軸方向ストレートな円筒面状とされ、全体として表面に凹凸の類をまったく有しない断面長方形状の単純な円筒体とされている。
【００２６】
一方、ゴム状弾性体３は、筒状金具２の一方の端部２ａの外径面に被着されるとともに一方の配管流路５１の内径面に密接する一方のシールリップ４と、筒状金具２の他方の端部２ｂの外径面に被着されるとともに他方の配管流路５２の内径面に密接する他方のシールリップ５とを有する形状とされ、これらシールリップ４，５の外径寸法φｄ２は配管流路５１，５２の内径寸法φＤよりも大きく設定されている。ゴム状弾性体３の材質は特に限定されず、例えば、ＦＫＭ、ＥＰＤＭ、ＡＣＭ、ＨＮＢＲ、ＮＢＲ等とされる。
【００２７】
一対のシールリップ４，５はそれぞれ断面三角形状に成形され、その先端部（リップ端）４ａ，５ａは断面アール形状（断面円弧形状）に成形されている。
【００２８】
また、一対のシールリップ４，５は、筒状金具２の外径面２ｃに被着された薄膜状の被膜部６を介して互いに一体に成形され、被膜部６の外径寸法φｄ３は配管流路５１，５２の内径寸法φＤよりも小さく設定されている。
【００２９】
上記構成の継ぎ手シール１は、図示するように装着されて、一対の配管流路５１，５２を接続する機能、配管流路５１，５２を流れる流体が外部へ漏洩するのを抑制するシール機能、および泥水やダスト等の外部異物が配管流路５１，５２内へ侵入するのを抑制するシール機能を奏するものであって、更に上記構成により以下の作用効果を発揮する点に特徴を有している。
【００３０】
すなわち上記構成の継ぎ手シール１においては、当該継ぎ手シール１が筒状金具２とその外径面に被着されたゴム状弾性体３によって構成され、筒状金具２がフランジや溝などの凹凸形状を有さず軸方向全長に亙って一定の外径寸法φｄ１を備える円筒面状の外径面２ｃを有する形状とされ、ゴム状弾性体３が筒状金具２の軸方向両端部２ａ，２ｂ外径面にそれぞれシールリップ４，５を有するとともに両シールリップ４，５間の軸方向中央部外径面に薄膜状の被膜部６を有する形状とされているために、継ぎ手シール１全体の外径寸法としては、シールリップ４，５を設けた軸方向両端部で比較的大、被膜部６を設けた軸方向中央部で比較的小となっており、よってシールリップ４，５が配管流路５１，５２の内径面に密接した状態において被膜部６の外径面と配管流路５１，５２の内径面との間に比較的大きな寸法差が設定されている。したがって図２に示すように当該継ぎ手シール１が芯ズレした状態の配管流路５１，５２に装着されると、シールリップ４，５以外の部分は配管流路５１，５２の内径面と干渉せずシールリップ４，５のみが配管流路５１，５２の内径面に対し全周に亙って密接する状態が実現されるために、上記従来技術のようにシール装着不可となることなく、当該継ぎ手シール１を円滑に装着することができる。
【００３１】
また、その構造は、円筒状の外径面２ｃを備える筒状金具２の軸方向両端部２ａ，２ｂ外径面にシールリップ４，５を設けるとともに両リップ４，５間の軸方向中央部外径面に薄膜状の被膜部６を設けるものであるため、至って簡易なものである。
【００３２】
したがって本発明所期の目的どおり、一対の配管流路５１，５２が芯ズレした状態にあっても継ぎ手シール１を円滑に装着することができ、しかも簡易な構造の継ぎ手シール１を提供することができる。
【００３３】
また、シールリップ４，５の先端部４ａ，５ａが断面アール形状に成形されているために、上記したとおりシール性を安定させることができる。また、一対のシールリップ４，５が被膜部６を介して一体成形されているために、被着面積が増大することによってシールリップ４，５が筒状金具２から剥がれるのを抑制することができ、キャビティ空間が１つに集約されることによってゴム成形型の構造を簡素化することができる。
【００３４】
尚、上記実施例では、シールリップ４，５を断面三角形状としたうえでその先端部４ａ，５ａを断面アール形状としたが、シールリップ４，５全体を断面アール形状とすることによりその一部として先端部４ａ，５ａを断面アール形状としても良い。
【００３５】
その一例として図３および図４に示す他の実施例では、シールリップ４，５全体が断面アール形状（断面半円形、半楕円形）とされ、その一部として先端部４ａ，５ａが断面アール形状とされている。
【００３６】
また、この図３および図４に示すように、継ぎ手シール１の軸方向両端部にはそれぞれシールリップ４，５が設けられていない端部領域（突出端部）７，８が設けられても良く、この場合、シールリップ４，５は、継ぎ手シール１の軸方向端面から若干軸方向中央寄りの位置に設けられることになる。また、この端部領域７，８は筒状金具２にゴム状弾性体３が被着されておらずに筒状金具２の外径面２ｃが表面露出した状態のものであっても良く、更にこの端部領域７，８にはテーパー状の面取りなどが設けられていても良い。
【符号の説明】
【００３７】
１  継ぎ手シール
２  筒状金具
２ａ，２ｂ  軸方向端部
２ｃ  外径面
３  ゴム状弾性体
４，５  シールリップ
４ａ，５ａ  リップ先端部
６  被膜部
７，８  端部領域
５１，５２  配管流路
０  中心軸線
【図１】
2012255470.tif 000003
【図２】
2012255470.tif 000004
【図３】
2012255470.tif 000005
【図４】
2012255470.tif 000006
【図５】
2012255470.tif 000007
【図６】
2012255470.tif 000008